(57)【特許請求の範囲】
【請求項１】
表示手段に複数の選択肢を表示するように制御する表示制御手段と、
前記複数の選択肢のうち選択されている選択肢を変更することなく、前記表示手段に表示された複数の選択肢を他の複数の選択肢に変更する変更手段と、
第１の選択肢が選択され、かつ当該第１の選択肢を含む複数の選択肢が表示されている第１の状態で、選択されている選択肢を変更するための第１の操作が行われると、当該第１の選択肢から、表示されている前記複数の選択肢のうち前記第１の選択肢に隣接する第２の選択肢に選択を変更し、
前記第１の選択肢が選択され、かつ当該第１の選択肢を含まない複数の選択肢が表示されている第２の状態で前記第１の操作が行われると、当該第１の選択肢から、前記第１の選択肢に隣接しない、表示されている複数の選択肢のうちの１つである第３の選択肢に選択を変更するように制御する制御手段と、を有することを特徴とする表示制御装置。
【請求項２】
前記制御手段によって選択肢の選択が変更されると、変更した時点で選択された選択肢の内容で装置の設定を更新する設定手段をさらに有することを特徴とする請求項１に記載の表示制御装置。
【請求項３】
前記表示制御手段は、前記第１の状態において、選択されている選択肢に関する情報として前記表示手段に前記第１の選択肢に関する情報を表示し、
前記前記第２の状態においても、選択されている選択肢に関する情報として前記表示手段に前記第１の選択肢に関する情報を表示し、
前記第３の選択肢が選択されたことに応じて、選択されている選択肢に関する情報として前記表示手段に前記第３の選択肢に関する情報を表示するように制御することを特徴とする請求項１または２に記載の表示制御装置。
【請求項４】
前記表示制御手段は、前記第２の状態においては、前記第１の状態の際とは異なる表示形態で前記第１の選択肢に関する情報を表示するように制御することを特徴とする請求項３に記載の表示制御装置。
【請求項５】
前記第３の選択肢は、前記第１の選択肢を含まない表示されている複数の選択肢のうち、前記第１の選択肢が表示されていた位置から前記第２の選択肢が表示されていた位置へ向かう方向とは最も反対の方向に配置された選択肢であることを特徴とする請求項１ないし４のいずれか１項に記載の表示制御装置。
【請求項６】
前記制御手段は、前記第１の状態において選択されている選択肢を変更するための第２の操作が行われると、当該第１の選択肢から、表示されている前記複数の選択肢のうち、前記第２の選択肢とは逆側で前記第１の選択肢に隣接する第４の選択肢に選択を変更し、
前記第２の状態で前記第２の操作が行われると、前記第１の選択肢から、前記第１の選択肢に隣接しない、表示されている複数の選択肢のうちの１つである第５の選択肢に選択を変更することを特徴とする請求項１ないし５のいずれか１項に記載の表示制御装置。
【請求項７】
前記第５の選択肢は、前記第１の選択肢を含まない表示されている複数の選択肢のうち、前記第１の選択肢が表示されていた位置から前記第４の選択肢が表示されていた位置へ向かう方向とは最も反対の方向に配置された選択肢であることを特徴とする請求項６に記載の表示制御装置。
【請求項８】
前記制御手段は、前記第１の操作とは異なる第３の操作に応じて前記表示手段に表示された複数の選択肢を他の複数の選択肢に変更するように制御することを特徴とする請求項１ないし７のいずれか１項に記載の表示制御装置。
【請求項９】
前記制御手段は、前記第１の選択肢が前記第１の状態で表示された複数の選択肢のうち端に配置された選択肢であり、前記第２の選択肢が前記第１の状態で表示されていない場合、前記第１の状態における前記第１の操作に応じて、表示されている前記複数の選択肢を前記第２の選択肢を含む他の複数の選択肢に変更して前記第２の選択肢を選択するように制御することを特徴とする請求項１ないし８のいずれか１項に記載の表示制御装置。
【請求項１０】
被写体の光学像を撮像する撮像手段をさらに有し、
前記複数の選択肢は、撮影に関する設定が可能な選択肢を含むことを特徴とする請求項１ないし９のいずれか１項に記載の表示制御装置。
【請求項１１】
前記複数の選択肢は、撮影モードをマニュアル露出に設定するための選択肢、絞り優先自動露出に設定するための選択肢、プログラム自動露出に設定するための選択肢を含むことを特徴とする請求項１０に記載の表示制御装置。
【請求項１２】
前記表示手段に対するタッチを検知可能なタッチ検知手段をさらに有し、
前記制御手段は、前記第２の状態で表示された複数の選択肢のうちいずれかがタッチされたことに応じて、タッチされた選択肢に選択を変更するように制御することを特徴とする請求項１ないし１１のいずれか１項に記載の表示制御装置。
【請求項１３】
表示手段に複数の選択肢を表示するように制御する表示制御装置の制御方法であって、
前記複数の選択肢のうち選択されている選択肢を変更することなく、前記表示手段に表示された複数の選択肢を他の複数の選択肢に変更する変更工程と、
第１の選択肢が選択され、かつ当該第１の選択肢を含む複数の選択肢が表示されている第１の状態で、選択されている選択肢を変更するための第１の操作が行われると、当該第１の選択肢から、表示されている前記複数の選択肢のうち前記第１の選択肢に隣接する第２の選択肢に選択を変更し、
前記第１の選択肢が選択され、かつ当該第１の選択肢を含まない複数の選択肢が表示されている第２の状態で前記第１の操作が行われると、当該第１の選択肢から、前記第１の選択肢に隣接しない、表示されている複数の選択肢のうちの１つである第３の選択肢に選択を変更するように制御する制御工程と、を有することを特徴とする制御方法。
【請求項１４】
表示手段に複数の選択肢を表示するように制御する表示制御手段と、
前記複数の選択肢のうち選択されている選択肢を変更することなく、前記表示手段に表示された複数の選択肢を他の複数の選択肢に変更する変更手段と、
第１の選択肢が選択され、かつ当該第１の選択肢を含む複数の選択肢が表示されている第１の状態で、選択されている選択肢に関する情報として前記表示手段に前記第１の選択肢に関する情報を第１の表示形態で表示し、
前記第１の選択肢が選択され、かつ前記第１の選択肢を含まない複数の選択肢が表示されている第２の状態で、選択されている選択肢に関する情報として前記表示手段に前記第１の選択肢に関する情報を、前記第１の状態の際とは異なる第２の表示形態で表示するように制御する制御手段と、を有することを特徴とする表示制御装置。
【請求項１５】
前記制御手段は、前記第２の状態で表示されている複数の選択肢に含まれる第３の選択肢を選択する操作が行われたことに応じて、前記第１の選択肢から前記第３の選択肢に選択を切替えるとともに、選択されている選択肢に関する情報として、前記第１の選択肢に関する情報に代えて前記第３の選択肢に関する情報を前記第１の表示形態で表示するように制御することを特徴とする請求項１４に記載の表示制御装置。
【請求項１６】
前記第２の表示形態はグレーアウトした表示形態であることを特徴とする請求項１４または１５に記載の表示制御装置。
【請求項１７】
表示手段に複数の選択肢を表示するように制御する表示制御装置の制御方法であって、
前記複数の選択肢のうち選択されている選択肢を変更することなく、前記表示手段に表示された複数の選択肢を他の複数の選択肢に変更する変更工程と、
第１の選択肢が選択され、かつ当該第１の選択肢を含む複数の選択肢が表示されている第１の状態で、選択されている選択肢に関する情報として前記表示手段に前記第１の選択肢に関する情報を第１の表示形態で表示するように制御する第１の表示工程と、
前記第１の選択肢が選択され、かつ前記第１の選択肢を含まない複数の選択肢が表示されている第２の状態で、選択されている選択肢に関する情報として前記表示手段に前記第１の選択肢に関する情報を、前記第１の状態の際とは異なる第２の表示形態で表示するように制御する第２の表示工程と、を有することを特徴とする制御方法。
【請求項１８】
コンピュータを、請求項１ないし１２、１４ないし１６のいずれか１項に記載された表示制御装置の各手段として機能させるためのプログラム。
【請求項１９】
コンピュータを、請求項１ないし１２、１４ないし１６のいずれか１項に記載された表示制御装置の各手段として機能させるためのプログラムを記憶した記憶媒体。
【発明の詳細な説明】
【技術分野】
【０００１】
本発明は、表示された複数の選択肢の中から任意の選択肢を選択可能な表示制御技術に関する。
【背景技術】
【０００２】
選択アイテムが複数のページにまたがって表示されるユーザインターフェースにて、ページ送りしてもカーソルはページ送り後の画面に移動しない場合に、従来のカーソル移動では目的のアイテムまでの操作が多くなって操作性が悪い。
【０００３】
そこで、特許文献１には、電子辞書などで画面をスクロールし検索対象の文字が画面に出現した場合に、直前のスクロール方向が順方向の場合には画面最下行（最後行）に、逆方向の場合には画面最上行（先頭行）にカーソルを移動させる技術が記載されている。
【０００４】
また、特許文献２では、メニュー設定表示において、左右キーでタブ切り替えを行って設定一覧を切り替え、上下キーでカーソルを操作することで、ユーザが選択したいアイテムに素早くカーソルを移動できる技術が記載されている。
【先行技術文献】
【特許文献】
【０００５】
【特許文献１】特開２０１１−０７６４１２号公報
【特許文献２】特開２００４−２３４１５号公報
【発明の概要】
【発明が解決しようとする課題】
【０００６】
しかしながら、上記先行技術では、ページ送りと共にカーソルを移動すると意図しないアイテムが選択状態となったり、１回のキー操作（押下）ごとにカーソルを１つ移動するのでは選択したいアイテムに素早く移行でないことになる。これではユーザが意図した撮影状態に素早く移行できないため、操作性が悪い。
【０００７】
本発明は、上記課題に鑑みてなされ、その目的は、ページ送り操作によってカーソル移動の操作性を損なわずに、所望のアイテムを素早く選択できる表示制御技術を実現することである。
【課題を解決するための手段】
【０００８】
上記課題を解決し、目的を達成するために、本発明の表示制御装置は、表示手段に複数の選択肢を表示するように制御する表示制御手段と、前記複数の選択肢のうち選択されている選択肢を変更することなく、前記表示手段に表示された複数の選択肢を他の複数の選択肢に変更する変更手段と、第１の選択肢が選択され、かつ当該第１の選択肢を含む複数の選択肢が表示されている第１の状態で、選択されている選択肢を変更するための第１の操作が行われると、当該第１の選択肢から、表示されている前記複数の選択肢のうち前記第１の選択肢に隣接する第２の選択肢に選択を変更し、前記第１の選択肢が選択され、かつ当該第１の選択肢を含まない複数の選択肢が表示されている第２の状態で前記第１の操作が行われると、当該第１の選択肢から、前記第１の選択肢に隣接しない、表示されている複数の選択肢のうちの１つである第３の選択肢に選択を変更するように制御する制御手段と、を有する。
【発明の効果】
【０００９】
本発明によれば、ページ送り操作によってカーソル移動の操作性を損なわずに、所望のアイテムを素早く選択できる表示制御が可能になる。
【図面の簡単な説明】
【００１０】
【図１】本発明に係る実施形態の撮像装置の前面（ａ）及び背面（ｂ）を示す外観図。
【図２】本実施形態の撮像装置の構成を示すブロック図。
【図３】表示画面の構成を例示する図。
【図４】ページ送りとカーソル移動に関する表示制御処理を示すフローチャート。
【図５】カーソル移動処理を示すフローチャート。
【図６】本実施形態の表示制御処理における表示例を示す図。
【発明を実施するための形態】
【００１１】
以下に、本発明の表示制御装置を、レンズ交換式の一眼レフカメラ（以下、カメラ）により実現した実施の形態について添付図面を参照して詳細に説明する。
【００１２】
＜装置構成＞先ず、図１及び図２を参照して、本発明に係る実施形態の撮像装置の構成及び機能について説明する。
【００１３】
図１において、表示部１０１は画像や各種情報を表示するＬＣＤなどの表示デバイスである。シャッターボタン１０２は撮影指示を行うための操作部である。モード切替スイッチ１０３は各種モードを切り替えるためのダイヤル式の操作部である。端子カバー１０４は外部機器とカメラ１００をＵＳＢなどのケーブルを介して接続するためのコネクタ（不図示）を保護するカバー部材である。メイン電子ダイヤル１０５は図２で後述する操作部２７０に含まれる回転操作部材であり、このメイン電子ダイヤル１０５を回すことで、シャッター速度や絞りなどの設定値が変更できる。電源スイッチ１０６はカメラ１００の電源のオン／オフを切り替える操作部材である。サブ電子ダイヤル１０７も図２で後述する操作部２７０に含まれる回転操作部材であり、選択枠の移動や画像送りなどを行える。十字キー１０８も図２で後述する操作部２７０に含まれる移動指示部材であり、上、下、左、右のいずれかを押し込むことで、十字キー１０８の押した部分に応じた操作が可能である。ＳＥＴボタン１０９も図２で後述する操作部２７０に含まれる押しボタンであり、主に選択項目の決定などに用いられる。ライブビューボタン１１０も図２で述する操作部２７０に含まれる押しボタンであり、静止画撮影モードではライブビュー（以下、ＬＶ）表示のオン／オフを切り替え、動画撮影モードでは動画撮影（記録）の開始や停止の指示に使用される。拡大ボタン１１１も図２で後述する操作部２７０に含まれる押しボタンであり、ライブビュー表示において拡大モードのオン／オフ、及び拡大モード中の拡大率の変更を行うための操作部材である。拡大ボタン１１１は、再生モードでは再生画像を拡大し、拡大率を増加させるための拡大ボタンとして機能する。再生ボタン１１２も図２で後述する操作部２７０に含まれる押しボタンであり、撮影モードと再生モードとを切り替える操作部材である。撮影モード中に再生ボタン１１２を押下することで再生モードに移行し、図２の記録媒体２５０に記録された画像のうち最新の画像を表示部１０１に表示することができる。
【００１４】
クイックリターンミラー２１２は、図２のシステム制御部２０１の指示に応じて、不図示のアクチュエータによってアップ位置（露光位置）またはダウン位置（ライブビュー位置）に駆動される。通信端子２１０はカメラ１００がレンズユニット２００（図２）と通信を行うための電気的接点である。覗き込み型の接眼ファインダー２１６はフォーカシングスクリーン２１３（図２）を観察することで、レンズユニット２００を通じて取り込んだ被写体の光学像の焦点や構図の確認を行うための光学部材である。蓋１１３はカメラ１００に対して記録媒体２５０を着脱するためにスロットを開閉する部材である。グリップ部１１４は、ユーザがカメラ１００を構えた際に右手で握りやすい形状を有する。
【００１５】
図２に、本実施形態のカメラ１００の内部構成を示す。
【００１６】
図２において、レンズユニット２００は撮影レンズ２０７を搭載し、カメラ１００に対して着脱可能である。撮影レンズ２０７は通常、複数枚のレンズから構成されるが、ここでは簡略して１枚のレンズのみで示している。通信端子２０６はレンズユニット２００がカメラ１００と通信を行うための電気的接点である。通信端子２１０はカメラ１００がレンズユニット２００と通信を行うための電気的接点である。レンズユニット２００は、通信端子２０６を介してシステム制御部２０１と通信し、内蔵されたレンズ制御部２０４が絞り駆動回路２０２を制御して絞り２０５を駆動し、ＡＦ駆動回路２０３を制御してレンズ２０７の位置を変位させることで焦点を合わせる。
【００１７】
ＡＥセンサ２１７は、レンズユニット２００を通じて取り込んだ被写体の輝度を測光する。焦点検出部２１１は、システム制御部２０１にデフォーカス量を出力し、システム制御部２０１はデフォーカス量に応じてレンズユニット２００と通信し、位相差検出方式でのＡＦ制御を行う。
【００１８】
クイックリターンミラー（以下、ミラー）２１２は、露光、ライブビュー表示、動画撮影の際にシステム制御部２０１から指示を受けて、不図示のアクチュエータによってアップ位置またはダウン位置に駆動される。ミラー２１２は、レンズ２０７から入射した光束をファインダー２１６または撮像部２２２へ切り替える。ミラー２１２は通常、光束を反射してファインダー２１６へ光束を導くようダウン位置に付勢されているが、露光やライブビュー表示には、撮像部２２２へ光束を導くように上方に跳ね上がり光束中から待避する（アップ位置）。また、ミラー２１２は、光束の一部が透過して焦点検出部２１１に入射するように、中央部がハーフミラーとなっている。撮影者は、ペンタプリズム２１４とファインダー２１６を介して、フォーカシングスクリーン２１３を観察することで、レンズユニット２００を通じて取り込んだ被写体の光学像の焦点や構図の確認が可能となる。
【００１９】
シャッター２２１は、システム制御部２０１の指示に応じて撮像部２２２での露光時間を自由に制御できるフォーカルプレーンシャッターである。撮像部２２２は被写体の光学像を電気信号に変換するＣＣＤやＣＭＯＳ等の撮像素子で構成されたイメージセンサである。Ａ／Ｄ変換器２２３は、撮像部２２２から出力されるアナログ信号をデジタル信号に変換して画像データを生成する。
【００２０】
画像処理部２２４は、Ａ／Ｄ変換器２２３からのデータ、または、メモリ制御部２１５からのデータに対して所定の画素補間、縮小といったリサイズ処理や色変換処理を行う。また、画像処理部２２４では、撮像した画像データを用いて所定の演算処理が行われ、システム制御部２０１は演算結果に基づいて露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２２４では更に、撮像した画像データを用いて所定の演算処理を行い、演算結果に基づいてＴＴＬ方式のＡＷＢ（オートホワイトバランス）処理も行っている。
【００２１】
Ａ／Ｄ変換器２２３からのデータは、画像処理部２２４及びメモリ制御部２１５を介して、あるいは、メモリ制御部２１５を介してメモリ２３２に直接書き込まれる。メモリ２３２は、撮像部２２２およびＡ／Ｄ変換器２２３から得られる画像データや、表示部１０１に表示するための画像表示用のデータを格納する。メモリ２３２は、所定枚数の静止画や所定時間の動画および音声を格納するのに十分な記憶容量を備えている。また、メモリ２３２は画像表示用のメモリ（ビデオメモリ）を兼ねている。Ｄ／Ａ変換器２１９は、メモリ２３２に格納されている画像表示用のデータをアナログ信号に変換して表示部１０１に供給する。メモリ２３２に書き込まれた表示用の画像データはＤ／Ａ変換器２１９を介して表示部１０１により表示される。表示部１０１は、ＬＣＤなどのディスプレイデバイスに、Ｄ／Ａ変換器２１９からのアナログ信号に応じた表示を行う。このように、メモリ２３２に格納されたデジタル信号をアナログ信号に変換し、表示部１０１に逐次転送して表示することで、電子ビューファインダー（ＥＶＦ）機能を実現し、スルー画像表示（ライブビュー表示）を行える。
【００２２】
不揮発性メモリ２５６は、電気的に消去・記録可能な、例えばＥＥＰＲＯＭなどである。不揮発性メモリ２５６には、システム制御部２０１の動作用の定数、プログラム等が記憶される。ここでいう、プログラムとは、後述する各種フローチャートを実行するためのプログラムのことである。
【００２３】
システム制御部２０１は、カメラ１００全体を統括して制御する演算処理装置であって、不揮発性メモリ２５６に格納されたプログラムを実行することで、後述するフローチャートの各処理を実現する。システムメモリ２５２はＲＡＭなどであり、システム制御部２０１の動作用の定数、変数、不揮発性メモリ２５６から読み出したプログラムなどを展開するワークメモリとしても使用される。また、システム制御部２０１は、メモリ２３２、Ｄ／Ａ変換器２１９、表示部１０１などを制御することにより表示制御も行う。システムタイマー２５３は各種制御に用いる時間や、内蔵時計の時間を計測する計時部である。
【００２４】
モード切替スイッチ１０３、第１シャッタースイッチ２６１、第２シャッタースイッチ２６２、操作部２７０はシステム制御部２０１に各種の指示を入力するための操作手段である。
【００２５】
モード切替スイッチ１０３は、システム制御部２０１の動作モードを静止画記録モード、動画記録モード、再生モードのいずれかに切り替える。静止画記録モードに含まれるモードとしては、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモードなどがある。
【００２６】
モード切替スイッチ１０３で静止画記録モードに含まれる複数のモードのいずれかに直接切り替える。あるいは、モード切替スイッチ１０３で静止画記録モードに一旦切り替えた後に、静止画撮影モードに含まれる複数のモードのいずれかに他の操作部材を用いて切り替えるようにしてもよい。同様に、動画撮影モードにも複数のモードが含まれていてもよい。
【００２７】
第１シャッタースイッチ２６１は、カメラ１００に設けられたシャッターボタン１０２の操作途中、いわゆる半押し（撮影準備指示）でオンとなり、第１シャッタースイッチ信号ＳＷ１を発生する。システム制御部２０１は、第１シャッタースイッチ信号ＳＷ１を受けて画像処理部２２４によって、ＡＦ（オートフォーカス）処理、ＡＥ（自動露出）処理、ＡＷＢ（オートホワイトバランス）処理、ＥＦ（フラッシュプリ発光）処理などを開始する。
【００２８】
第２シャッタースイッチ２６２は、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２２２からの信号読み出しから記録媒体２５０に画像データを書き込むまでの一連の撮影処理を開始する。
【００２９】
操作部２７０は、表示部１０１に表示される種々の機能アイコンを選択操作することにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタンなどがある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００３０】
操作部２７０は、ユーザからの操作を受け付けて、システム制御部２０１へ通知する入力部であり、少なくとも以下の操作部材が含まれる。シャッターボタン１０２、メイン電子ダイヤル１０５、電源スイッチ１０６、サブ電子ダイヤル１０７、十字キー１０８、ＳＥＴボタン１０９、ＬＶボタン１１０、拡大ボタン１１１、再生ボタン１１２。
【００３１】
電源制御部２８０は、電池検出回路、ＤＣ−ＤＣコンバータ、通電するブロックを切り替えるスイッチ回路等により構成され、電池の装着の有無、電池の種類、電池残量の検出を行う。また、電源制御部２８０は、その検出結果及びシステム制御部２０１の指示に基づいてＤＣ−ＤＣコンバータを制御し、必要な電圧を必要な期間、記録媒体２５０を含む各部へ供給する。
【００３２】
電源部２３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２１８は、メモリカードやハードディスク等の記録媒体２５０とのインターフェースである。記録媒体２５０は、撮影された画像を記録するためのメモリカード等の記録媒体であり、半導体メモリや磁気ディスク等から構成される。
【００３３】
なお、操作部２７０には、表示部１０１に対するタッチ操作を検出可能なタッチ検出手段としてのタッチパネル２７１が含まれる。タッチパネル２７１と表示部１０１とは一体的に構成することができる。例えば、タッチパネル２７１の光の透過率が表示部１０１の表示を妨げないように、表示部１０１の表示面の上層に取り付ける。そして、タッチパネル２７１における入力座標と、表示部１０１上の表示座標とを対応付ける。これにより、ユーザが表示部１０１に表示された画面を直接的に操作可能であるかのようなＧＵＩを構成することができる。システム制御部２０１はタッチパネル２７１への以下の操作を検出できる。タッチパネル２７１を指やペンで触れたこと（以下、タッチダウンと称する）。タッチパネル２７１を指やペンで触れている状態であること（以下、タッチオンと称する）。タッチパネル２７１を指やペンで触れたまま移動していること（以下、ムーブと称する）。タッチパネル２７１へ触れていた指やペンを離したこと（以下、タッチアップと称する）。タッチパネル２７１に何も触れていない状態（以下、タッチオフと称する）。これらの操作や、タッチパネル２７１上に指やペンが触れている位置座標は内部バスを通じてシステム制御部２０１に通知され、システム制御部２０１は通知された情報に基づいてタッチパネル２７１上にどのような操作が行なわれたかを判定する。ムーブについてはタッチパネル２７１上で移動する指やペンの移動方向についても、位置座標の変化に基づいて、タッチパネル２７１上の垂直成分・水平成分毎に判定できる。またタッチパネル２７１上をタッチダウンから一定のムーブを経てタッチアップをしたとき、ストロークを描いたこととする。素早くストロークを描く操作をフリックと呼ぶ。フリックは、タッチパネル２７１上に指を触れたままある程度の距離だけ素早く動かして、そのまま離すといった操作であり、言い換えればタッチパネル２７１上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネル２７１は、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００３４】
＜画面構成＞図３を参照して、撮影モード選択画面の構成について説明する。
【００３５】
システム制御部２０１は、ユーザ操作によって撮影モード選択画面の表示が指示されると、図３に示す画面を表示部１０１に表示する。
【００３６】
図３において、アイテム３０１は、カメラ１００に設定可能な複数の撮影モードのうちの１つである、マニュアル露出モードを示すアイコンである。アイテム３０１は、設定する撮影モードとして選択可能な選択肢の１つである。
【００３７】
カーソル３０２は現在設定されている撮影モードを示すアイテムに対して付加される、現在設定されていること（選択されていること）を示すための選択枠である。システム制御部２０１は、操作部２７０から操作指示を受け付けることで、任意の選択肢（撮影モードを表すアイテム）にカーソル３０２を移動させて、撮影モードの設定を変更することができる。以下、カーソルの当たっているアイテムを選択アイテムと称する。
【００３８】
ページ指標３０３は、現在表示しているページの位置を表す指標である。選択アイテムが複数ページにわたって並べられている場合に、システム制御部２０１は現在の表示ページが総ページ中の何ページ目に相当するのかを不揮発性メモリ２５６から読み出して表示する。図３ではブロック表示となっているがページ数を数値表示としてもよい。
【００３９】
撮影モード名３０４は、選択アイテムが表す撮影モードの名称を表示する領域である。ガイダンス３０５は、選択アイテムが表す撮影モードについての説明が表示される領域である。システム制御部２０１は、画面上にカーソル３０２で選択している選択アイテムを表示している場合は撮影モード名３０４とガイダンス３０５をアクティブ（例：文字色白色表示）な状態とし、非表示の場合は非アクティブ（例：文字色グレーアウト）とする。なお、ガイダンス３０５は表示しなくてもよい。
【００４０】
カーソル３０２は、操作部２７０に含まれる十字キー１０８の右キー押下（右部分押下）あるいは左キー押下（左部分押下）に応じて、押下されたキーの方向に隣接するアイテムに順次移動する。また、アイテムが表示された表示領域上に対するタッチダウンに応じて直接カーソル３０２を移動させることもできる。
【００４１】
ページ送り領域３０８は、次ページへページ送りする操作指示を受け付けるためのタッチ可能領域であり、この領域からのタッチアップに応じて次ページへのページ送りが行われる。ページ戻し領域３０７は、前ページへページ戻しする操作指示を受け付けるためのタッチ可能領域であり、この領域からのタッチアップに応じて前ページへのページ戻しが行われる。ページ指標３０３のうち、現在表示しているページ以外を表す指標（図３の例では白抜きの四角マーク）をタッチしてからタッチアップすることで、任意のページに直接ページ送りを行える。ページ送りまたはページ戻し（以下、ページ切替）が行われると、現在表示している撮影モードのアイテムのセットとは異なるセットの撮影モード選択用のアイテムが表示される。ページ切替直後は現在の撮影モードの設定はページ切替前にカーソル３０２が表示されていたアイテムが示す撮影モードのままであり、カーソル３０２は表示されない。カーソル３０２が表示されていない状態では、撮影モード名３０４及びガイダンス３０５は、ページ切替前にカーソル３０２が表示されていたアイテムが示す撮影モードについての内容の表示がそのまま維持される。すなわち、現在表示されているページ（アイテム）に関わらず、現在設定されている撮影モードについての内容となる。ただし、カーソル３０２が表示されていない場合は、撮影モード名３０４とガイダンス３０５は現在表示されているアイテムに関する表示ではないことを示すために、グレーアウト（非アクティブ表示）して表示する。システム制御部２０１は、ページ切替直後でカーソル３０２が表示されていない状態で、カーソルを移動させる操作（左右キーあるいはアイテムに対するタッチダウン）を受け付けると、現在表示されているページに含まれるアイテムに対してカーソル３０２を表示する。また、撮影モードの設定を変更し、撮影モード名３０４及びガイダンス３０５の内容もカーソル３０２が表示されたアイテムに関する内容に切り替える。
【００４２】
リターンボタン３０６は撮影モード選択画面を終了させる操作指示を受け付けるためのタッチアイコンであり、この領域からのタッチアップに応じて撮影モード選択画面を終了し、他の画面へと遷移する（例えば撮影モード選択画面に入る以前の表示状態）。
【００４３】
＜画面表示処理＞図４ないし図６を参照して、図３の撮影モード選択画面におけるページ送りとカーソル移動の各処理について説明する。これらの処理は、不揮発性メモリ２５６に記録されたプログラムをシステムメモリ２５２に展開してシステム制御部２０１が実行することで実現する。
【００４４】
ユーザ操作によって撮影モード選択画面の表示が指示されると、システム制御部２０１は、図４の処理を開始し、Ｓ４０１では、現在の撮影モードを不揮発性メモリ２５６から読み出す。
【００４５】
Ｓ４０２では、システム制御部２０１は、現在の撮影モードを示すアイテムが含まれるページで表示すべき複数の撮影モードを示すアイテムを表示し、そのうち、現在の撮影モードに対応するアイテムにカーソル３０２を表示する。また、現在表示しているページの位置を表すページ指標３０３を表示する。
【００４６】
Ｓ４０３では、システム制御部２０１は、現在の撮影モードの名称を撮影モード名３０４の表示領域に、現在の撮影モードに関する説明文をガイダンス３０５の表示領域に表示し、それぞれアクティブ表示させる。この結果、表示部１０１に表示される画面は、例えば現在の撮影モードがマニュアル露出であった場合、図６（ａ）のようになる。
【００４７】
Ｓ４０４では、システム制御部２０１は、現在表示しているページより前にページを送る操作指示があったか否かを判定する。ページ戻し領域３０７からのタッチアップを検出したか、あるいはページ指標３０３のうち前のページを示すマークからのタッチアップを検出すると、現在表示しているページより前にページ切替する操作があったと判定する。現在表示しているページより前にページ切替する操作指示があったと判定するとＳ４０５に進み、そうでない場合はＳ４０９へ進む。
【００４８】
Ｓ４０５では、システム制御部２０１は、現在表示しているページより前のページを表示する。ここでは、Ｓ４０４でページ戻し領域３０７からのタッチアップを検出した場合は１ページ前を表示し、ページ指標３０３のうち前のページを示すマークからのタッチアップを検出した場合はタッチアップのあったマークの示すページを表示する。これにより、表示しているアイテムのセットが切り替わる。なお、ここではページ切替前からのカーソル３０２の移動は行わない。すなわち、ページ切替前のページでカーソル３０２が表示されていた場合はカーソル３０２はページ切替前のページに残ることとなり、ページ切替後のページではカーソル３０２は表示されない。また、ページ切替前のページでカーソル３０２が表示されていなかった場合に、ページ切替によって前回カーソル３０２を表示していたページに戻ってきた場合には、前回カーソル３０２が表示されていたアイテムと同じアイテムにカーソル３０２が表示される。
【００４９】
Ｓ４０６では、システム制御部２０１は、ページ切替後の現在のページにカーソル３０２を表示するか否かを判定する。言い換えれば、ページ切替後の現在のページが、前回カーソル３０２を表示していたページであるか否かを判定する。カーソル３０２を表示するページであると判定するとＳ４０７に進み、そうでない場合はＳ４０８に進む。
【００５０】
Ｓ４０７では、システム制御部２０１は、撮影モード名３０４と撮影モードのガイダンス３０５をアクティブ表示する。このときの表示例を図６（ａ）に示す。図６（ｄ）のようにカーソル３０２を非表示の状態でかつ最後にカーソル３０２が当たっていたのがマニュアル露出の状態から、前ページに戻す操作があると、図６（ａ）のようにマニュアル露出のアイテムにカーソル３０２を当てた１ページ前の状態で表示する。
【００５１】
Ｓ４０８では、システム制御部２０１は、カーソル３０２を表示するページではないので、ページ切替前に表示していた撮影モード名３０４とガイダンス３０５を非アクティブ表示にする。
【００５２】
Ｓ４０９では、システム制御部２０１は、現在表示しているページの次のページ切替する操作指示があったか否かを判定する。
ここではページ送り領域３０８からのタッチアップを検出したか、あるいはページ指標３０３のうち次のページを示すマークからのタッチアップを検出すると、現在表示しているページから次へページへページを切り替える操作指示があったと判定する。次ページへのページ切替指示があったと判定するとＳ４１０に進み、そうでない場合はＳ４１４へ進む。
【００５３】
Ｓ４１０では、システム制御部２０１は、現在表示しているページの次のページを表示する。Ｓ４０９でページ送り領域３０８からのタッチアップを検出した場合は１ページ先を表示し、ページ指標３０３のうち先のページを示すマークからのタッチアップを検出した場合はタッチアップのあったマークの示すページを表示する。これにより、表示されているアイテムのセットが切り替わる。なお、ここではページ切替前からのカーソル３０２の移動は行わない。すなわち、ページ切替前のページでカーソル３０２が表示されていた場合はカーソル３０２はページ切替前のページに残ることとなり、ページ切替後のページではカーソル３０２は表示されない。また、ページ切替前にカーソル３０２が表示されていなかった場合に、ページ切替によって前回カーソル３０２を表示していたページに戻ってきた場合には、前回カーソル３０２が表示されていたアイテムと同じアイテムに対してカーソル３０２が表示される。
【００５４】
Ｓ４１１では、システム制御部２０１は、ページ切替後の現在のページにカーソル３０２を表示するか否かを判定する。言い換えれば、ページ切替後の現在のページが、前回カーソル３０２を表示していたページであるか否かを判定する。カーソル３０２を表示するページであると判定するとＳ４１２に進み、そうでない場合はＳ４１３に進む。
【００５５】
Ｓ４１２では、システム制御部２０１は、撮影モード名３０４とガイダンス３０５をアクティブ表示にする。
【００５６】
Ｓ４１３では、システム制御部２０１は、カーソル３０２を表示するページではないので、ページ切替前に表示していた撮影モード名３０４とガイダンス３０５を非アクティブ表示にする。このときの表示例を図６（ｄ）に示す。図６（ａ）のように切替前のページでマニュアル露出のアイテムにカーソル３０２を表示していた状態から次ページへページ送りが行われると、表示部１０１には図６（ｄ）に示す画面が表示される。表示されるアイテムのセットは前ページの図６（ａ）とは違うものになっているが、カーソル３０２は前ページに残された状態となり、次のページである図６（ｄ）では表示されない。また、撮影モード名３０４とガイダンス３０５の内容も切替前のページに含まれるアイテムに関連し、切替後のページに含まれるアイテムには関連しないことを表すためにグレーアウトで表示される。なお、図６（ｄ）の例ではカメラ１００に設定されている撮影モードはマニュアル露出である。
【００５７】
Ｓ４１４では、システム制御部２０１は、図５で後述するカーソル移動処理を行う。
【００５８】
Ｓ４１５では、システム制御部２０１は、撮影モード選択画面の終了条件が成立したか否かを判定する。終了条件には以下が含まれる。所定時間以上何の操作もなかった場合に行われるオートパワーオフ。撮影モード選択画面を抜けるための操作である、リターンボタン３０６に対するタッチ操作。シャッターボタン１０２の半押しに応じたＳＷ１信号のオン（オンであれば撮影待機画面へ遷移する）。再生モードに移行する指示、電源をオフとする操作。終了条件が不成立の場合にはＳ４０４に戻って処理を繰り返し、成立した場合には撮影モード選択画面処理を終了する。
【００５９】
＜カーソル移動処理＞図５を参照して、図４のＳ４１４でのカーソル移動処理について説明する。
【００６０】
図５において、Ｓ５０１では、システム制御部２０１は、十字キー１０８のうち右キーを押下する操作があったか否かを判定する。右キーが押下された場合はＳ５０２に進み、そうでない場合はＳ５１０に進む。
【００６１】
Ｓ５０２では、システム制御部２０１は、現在表示しているページにカーソル３０２を表示しているか否かを判定する。カーソル３０２を表示している場合はＳ５０３に進み、そうでない場合はＳ５０７に進む。
【００６２】
Ｓ５０３では、システム制御部２０１は、カーソル３０２を表示している選択アイテムが、画面上に表示されているアイテムのうち最後尾（右端）のアイテムであるか否かを判定する。これは例えば、図６（ｃ）に示す状態である。選択アイテムが最後尾のアイテムであった場合はＳ５０４に進み、そうでない場合はＳ５０６に進む。
【００６３】
Ｓ５０４では、システム制御部２０１は、ページ切替を行って次ページを表示する。
【００６４】
Ｓ５０５では、システム制御部２０１は、カーソル３０２を、ページ切替後のページに表示される複数のアイテムのうち、先頭アイテム（左端のアイテム）に表示する。このときの表示例を図６（ｅ）に示す。すなわち、図６（ｃ）のように、前ページの右端のアイテムを選択していた状態から右キーが押下されると図６（ｅ）のように次ページに表示されるアイテムを選択アイテムとしてカーソル３０２を移動する。
【００６５】
一方、Ｓ５０６では、システム制御部２０１は、カーソル３０２を現在のページに表示されているアイテムのうち、現在カーソル３０２が表示されているアイテムの右隣のアイテムにカーソル３０２を移動する。例えば、図６（ａ）のように前ページで右端ではないアイテムであるマニュアル露出のアイテムを選択した状態で、右キーが押下されると、図６（ｂ）のようにカーソル３０２を１つ右隣の絞り優先ＡＥのアイテムに移動する。
【００６６】
また、Ｓ５０７では、システム制御部２０１は、現在表示しているページに表示されているアイテムのうち、先頭アイテム（左端のアイテム）を選択アイテムとしてカーソル３０２を表示する。例えば図６（ｄ）のように現在の選択アイテムが表示中のページには含まれないマニュアル露出の場合に右キーが押下されると、図６（ｅ）のように表示中のページの先頭アイテムであるクリエイティブオートにカーソル３０２を移動して選択アイテムを変更する。このように、ページ切替操作に応じた選択アイテムの変更は行わない一方、ページ切替後のページを表示中に選択アイテムを切り替える操作が行われると、元の選択アイテムと現在表示中のページに含まれるアイテムとの間にあるアイテムを飛ばして、現在表示中のアイテムのいずれかを選択アイテムとしてカーソル３０２が表示される。例えば図６（ｄ）のカーソル未表示の状態で右キーが押下されると、元の選択アイテムであるマニュアル露出と、現在表示しているページに含まれるアイテムとの間にあるアイテムである絞り優先ＡＥ、シャッター速度優先ＡＥ、プログラムＡＥを飛ばして、現在表示しているページの先頭のアイテムであるクリエイティブオートを選択アイテムとしてカーソル３０２が表示される。なお、カーソル３０２が未表示の状態から右キーが押下されることに応じて現在のページの先頭（左端）のアイテムにカーソルが移動されるのは、同じ右キーの操作で、同一ページ内で続けてカーソル３０２を移動できるようにするためである。言い換えれば、カーソル３０２が未表示の状態からカーソルを移動させる操作が行われると、現在のページ内でのカーソルの移動指示方向（右）とは最も反対側に配置されたアイテムが選択される。
【００６７】
Ｓ５０８では、システム制御部２０１は、撮影モード名３０４とガイダンス３０５をＳ５０５〜Ｓ５０７のいずれかで移動したカーソル３０２で新たに選択した撮影モードに対応したものに更新し、アクティブ表示する。
【００６８】
Ｓ５０９では、システム制御部２０１は、現在の撮影モードをＳ５０５〜Ｓ５０７のいずれかで移動したカーソル３０２で新たに選択した撮影モードに設定し、不揮発性メモリ２５６に記録する。この時点で設定変更は行われる。すなわち次回ＳＷ２信号が入力された場合には新たな撮影モードに応じた設定で撮影が行われる。
【００６９】
Ｓ５１０では、システム制御部２０１は、十字キー１０８のうち左キーを押下する操作があったか否かを判定する。左キーが押下された場合はＳ５１１に進み、そうでない場合はＳ４１５に進む。
【００７０】
Ｓ５１１では、システム制御部２０１は、現在表示しているページにカーソル３０２を表示するか否かを判定する。カーソル３０２を表示する場合はＳ５１２に進み、そうでない場合はＳ５１６に進む。
【００７１】
Ｓ５１２では、システム制御部２０１は、カーソル３０２を表示している選択アイテムが、画面上に表示されているアイテムのうち先頭（左端）のアイテムであるか否かを判定する。これは、例えば図６（ｅ）の状態である。選択アイテムが先頭のアイテムであった場合はＳ５１３に進み、そうでない場合はＳ５１５に進む。
【００７２】
Ｓ５１３では、システム制御部２０１は、ページ切替を行って前ページを表示する。
【００７３】
Ｓ５１４では、システム制御部２０１は、カーソル３０２を、切替後のページに表示される複数のアイテムのうち、最後尾アイテム（右端のアイテム）に表示する。このときの表示例を図６（ｃ）に示す。すなわち、図６（ｅ）のように次ページの左端のアイテムを選択していた状態から左キーが押下されると、図６（ｃ）のように前ページの右端のアイテムを選択した状態にカーソル３０２を移動する。また、例えば図６（ａ）のように１ページ目の先頭アイテムの選択状態で左キーが押下されると、図６（ｇ）のように１ページ前のページとして３ページ目（本例ではページを循環切替できるので最終ページとなる）の最後尾アイテムにカーソル３０２を移動する。
【００７４】
一方、Ｓ５１５では、システム制御部２０１は、現在のページに表示されているアイテムのうち、現在カーソル３０２が表示されているアイテムの左隣のアイテムにカーソル３０２を移動する。例えば、図６（ｂ）のように１ページ目で左端ではないアイテムである絞り優先ＡＥを選択した状態で、左キーが押下されると、図６（ａ）に示すようにカーソル３０２を１つ左隣のマニュアル露出のアイテムに移動する。
【００７５】
また、Ｓ５１６では、システム制御部２０１は、現在表示しているページに表示されているアイテムのうち、最後尾アイテム（右端のアイテム）を選択アイテムとしてカーソル３０２を表示する。例えば、現在表示している２ページ目に、現在の選択アイテムが含まれていない場合に左キーが押下されると、図６（ｆ）のように選択アイテムが現在表示しているページの最後尾アイテムである風景に変更され、カーソル３０２が表示される。
【００７６】
Ｓ５１７では、システム制御部２０１は、撮影モード名３０４とガイダンス３０５をＳ５１４〜Ｓ５１６のいずれかで移動させたカーソル３０２で新たに選択した撮影モードに対応したものに更新し、アクティブ表示する。
【００７７】
Ｓ５１８では、システム制御部２０１は、現在の撮影モードをＳ５１４〜Ｓ５１６のいずれかで移動させたカーソル３０２で新たに選択した撮影モードに設定し、不揮発性メモリ２５６に記録する。この時点で設定変更は行われる。すなわち次回ＳＷ２信号が入力された場合には新たな撮影モードに応じた設定で撮影が行われる。
【００７８】
本実施形態によれば、表示中の複数の選択肢から第１の選択肢（例えばマニュアル露出）が選択された状態で、ページ送りを行うための第１の操作（例えば右キー押下）がなされると、第１の選択肢に隣接する選択肢に選択を変更する。一方、第１の選択肢が選択された状態であるが、第１の選択肢を含まない複数の選択肢が表示中に第１の操作がなされると、第１の選択肢に隣接しない、表示中の複数の選択肢のうちのいずれかに選択を変更する。これによって、選択肢の選択を変更することなく、ページ切替によって表示される他の選択肢を見ることができるので、ページ送り操作によってカーソル移動の操作性を損なわずに、所望の選択肢を素早く選択できる。
【００７９】
なお、以上の説明では省略したが、ページに表示されたアイテム（選択肢）のうち任意のものに対するタッチ操作によっても、タッチされたアイテムにカーソルを移動できる。
【００８０】
また、選択不可状態のアイテムが表示されている場合には、選択可能なアイテムとして取り扱う必要はない。例えばカーソル３０２を１つ右へ移動する場合に選択アイテムの１つ右のアイテムが選択不可状態であれば、さらに右にある選択可能なアイテムにカーソル３０２を移動する。
【００８１】
また、本実施形態では、ページ切替操作によって表示されている選択肢（アイテム）を切り替える例を説明したが、スクロール操作によって表示されている選択肢を変更する場合にも本発明を適用可能である。すなわち、選択アイテムが表示されない位置までスクロール（アイテム表示位置の移動）を行える装置において、スクロールした結果、表示されているアイテムがスクロール前から変化し、選択アイテムが表示されなくなった場合も、上述の実施形態のページ切替後と同様に扱うことで、本発明が適用可能である。
【００８２】
また、変更するパラメータを撮影モードとしたが、変更可能なパラメータであればどのようなものにも適用可能である。
【００８３】
なお、システム制御部２０１の制御は１つのハードウェアが行ってもよいし、複数のハードウェアが処理を分担することで、装置全体の制御を行ってもよい。
【００８４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８５】
また、上述した実施形態においては、本発明を撮像装置における画面表示に適用した場合を例にして説明したが、本発明はこの例に限定されず、例えば、操作部材によってページを切り替え可能な装置であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００８６】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005873390.tif 000002
【図２】
0005873390.tif 000003
【図３】
0005873390.tif 000004
【図４】
0005873390.tif 000005
【図５】
0005873390.tif 000006
【図６】
0005873390.tif 000007